(57)【特許請求の範囲】
【請求項１】
一対の透明板状部材を備え、少なくとも一方の板状部材の表面に液が流れる溝が形成され、他方の板状部材にはその溝の両端に対応する位置に貫通孔が設けられ、これら板状部材が前記溝を内側にして張り合わされてその溝により互いに交差する分離流路と試料導入流路が形成されているマイクロチップを用い、分離流路と試料導入流路に泳動液を満たし、試料導入流路から分離流路に試料を導入し、分離流路の両端間に泳動電圧を印加して試料を分離流路で電気泳動分離させるマイクロチップ電気泳動装置において、
電気泳動分離された試料を光学的に検出する検出器と、
前記マイクロチップをトレイに載せて水平面内で移動させる移動機構と、
前記貫通孔から泳動液を注入する泳動液注入機構と、
前記試料導入流路の端に位置する前記貫通孔の試料注入孔から試料を注入する試料注入機構と、
試料導入流路から分離流路に試料を導入するための試料導入用電圧及び試料の電気泳動分離のための分離用電圧を切り換えて印加する電源装置と、
前記マイクロチップを泳動液注入機構による泳動液注入位置、前記試料注入機構による試料注入位置、及び前記検出器による検出位置にそれぞれ位置決めするように前記移動機構によるマイクロチップの移動の制御、前記泳動液注入機構及び前記試料注入機構の動作の制御、並びに前記電源装置による電圧印加の制御を自動的に行なう制御部としてのＣＰＵボードとを備え、
かつ、これらの全てが１つのケース内に一体収納されていることを特徴とするマイクロチップ電気泳動装置。
【発明の詳細な説明】
【０００１】
【発明の属する技術分野】
本発明は、極微量のタンパク質や核酸などを高速、かつ高分解能に分析する装置に関し、更に詳しくは、一対の透明板状部材を備え、少なくとも一方の板状部材の表面に液が流れる溝が形成され、他方の板状部材にはその溝の両端に対応する位置に貫通孔が設けられ、これら板状部材が前記溝を内側にして張り合わされてその溝により互いに交差する分離流路と試料導入流路が形成されているマイクロチップを用い、分離流路と試料導入流路に泳動液を満たし、試料導入流路から分離流路に試料を導入し、分離流路の両端間に泳動電圧を印加して試料を分離流路で電気泳動分離させるマイクロチップ電気泳動装置に関するものである。
【０００２】
【従来の技術】
極微量のタンパク質や核酸などを分析する場合には、キャピラリ電気泳動装置が一般的に用いられている。キャピラリ電気泳動装置は、内径が１００μｍ以下のガラスキャピラリー内に泳動バッファを充填し、一端側に試料を導入した後、両端間に高電圧を印加して分析対象物をキャピラリー内で展開させるものである。キャピラリー内は容積に対して表面積が大きい、すなわち冷却効率が高いことから、高電圧の印加が可能となり、ＤＮＡなどの極微量試料を高速、かつ高分解能にて分析することができる。
【０００３】
キャピラリーはその外形が数１０μｍ〜１００μｍ程度と細く破損しやすいため、ユーザーが行なうべきキャピラリー交換時の取扱いが容易でない問題を有する。そのため、D. J. Harrison et al./ Anal. Chim. Acta 283 (1993) 361-366に示されているように、２枚の基板を接合して形成されたキャピラリー電気泳動チップ（本明細書ではマイクロチップという）が提案されている。そのマイクロチップの例を図１（Ａ）〜（Ｄ）に示す。マイクロチップは一対の透明ガラス基板１，２からなり、一方の基板２の表面にエッチングにより互いに交差する泳動用キャピラリー溝４，５を形成し、他方の基板１にはその溝４，５の両端に対応する位置に貫通孔３を設けたものである。
【０００４】
このマイクロチップを使用するときは、両基板１，２を（Ｃ），（Ｄ）に示すように重ね、いずれかの貫通孔３から泳動液を溝４，５中に注入する。その後、短い方の溝４の一方の端の貫通孔３（Ｓ）に試料を注入しその溝４の両端の貫通孔３，３（Ｓ，Ｗ）間に電極を差し込んで所定時間だけ高電圧を印加する。これにより、試料は溝４中に分散される。
【０００５】
次に、長い方の溝５の両端の貫通孔３，３（Ｂ，Ｄ）に電極を差し込み、泳動電圧を印加する。これにより、両溝４，５の交差部分６に存在する試料が溝５内を電気泳動する。溝５の適当な位置に紫外可視分光光度計、蛍光光度計、電気化学検出器等の検出器を配置しておくことにより、分離成分の検出を行なう。
このようなマイクロチップを用いた電気泳動は、高速動作が可能、極微量分析が可能、小型などの特徴を持つことが知られており、その装置化技術が進歩すれば、これまでにないユニ−クな分析装置となる可能性を秘めている。
【０００６】
これまでのマイクロチップを用いた技術では、分析前に必要不可欠な泳動液用の貫通孔３から流路４，５への泳動液の充填、及び試料注入用の貫通孔３への試料の注入は全て手操作によっている。泳動液用の貫通孔３は泳動液のリザ−バの役割を果たし、試料を注入する貫通孔３は試料容器に相当する。分析前の操作として、泳動液をどれか一つの貫通孔３からシリンジなどで手で送液し、試料は試料導入用の溝４の一端の貫通孔３から別のシリンジで注入している。
【０００７】
マイクロチップを用いる電気泳動装置の一例を図２に示す。
マイクロチップ１０を水平面内で移動させる移動機構としてＸＹステージ１２が光学ベンチ１４上に置かれ、マイクロチップ１０はＸＹステージ１２上に固定されてＸ方向とＹ方向の水平面内で手動により移動させられる。泳動路で電気泳動分離された試料を光学的に検出するために、試料をレーザで励起し、その蛍光によって検出するレーザ蛍光検出器が用いられている。レーザ装置１６からのレーザ光が照射及び集光部１８によりマイクロプレート１０の試料に照射され、試料からの発生した蛍光もその照射及び集光部１８により集光される。蛍光は照射及び集光部１８で受光され、光電子増倍管２０で検出される。２２は照射及び集光部１８の光軸あわせ用の双眼鏡である。レーザ装置１６、照射及び集光部１８及び双眼鏡２２も光学ベンチ１４上に配置されている。２４はレーザ用電源、２６は光電子増倍管用の高圧電源装置であり、光電子増倍管２０で検出された光信号は、増幅器２８で増幅され、Ａ／Ｄ変換器３０でデジタル信号に変換されてＣＰＵ３２に取り込まれる。
【０００８】
マイクロチップ１０に注入された試料を分離用流路に導入するための試料導入用電圧印加と電気泳動分離のための分離用電圧印加のために、高圧電源装置３４，３６が設けられており、それらの高圧電源３４，３６からの電圧はリレー制御システム３８を経てマイクロチップ１０に印加される。ＣＰＵ３２は試料導入用電圧印加と分離用電圧印加をリレー制御システム３８を介して切り換え、Ａ／Ｄ変換器３０からのデータを取り込んでデータ処理を行なうなどの制御装置としての機能を果たしている。ＣＰＵ３２は外部のパーソナルコンピュータ３９に接続され、データの送受信を行なう。
【０００９】
【発明が解決しようとする課題】
図２の電気泳動装置では、マイクロチップ１０をＸ−Ｙステージ１２にセットする前に、マイクロチップ１０の流路にはシリンジなどで泳動液を充填し、サンプルリザーバＳには数μｌの試料をシリンジで入れておかなければならない。その後、各貫通孔のリザーバ３に白金電極を挿入する。電気泳動分離された試料を検出するために分離流路上の一点に照射及び集光部の１８焦点をあわせる必要がある。そのためにレーザービーム又はＸ−Ｙステージ１２を調整しなければならない。
【００１０】
そこでは、マイクロチップ１０にあらかじめ泳動液を満たした後、試料をサンプルリザーバに滴下するセットアップ作業や、マイクロチップ１０の分離流路にレーザビームの光軸をあわせ、効率よく蛍光を集光するためにマイクロチップ１０と検出器のアライメントを目視で厳密に行なうマイクロチップのセッティング作業が必要である。そのため、マイクロチップ１０そのものの大きさは、例えば２０ｍｍ×４０ｍｍというように小さく、試薬の消費量が殆どないマイクロ分析法でありながら、顕微鏡２２、光学ベンチ１４、光軸調整機構、汎用の高圧電源３４，３６、レーザ発振部１６及びその電源部２４など大がかりな装置を必要とする。
【００１１】
そこで、本発明はそれらの各部を１つのケース内に収納してコンパクトにまとめるとともに、マイクロチップを所定の位置にセットすればその後の泳動液の充填、試料注入、分離流路への試料導入、電気泳動分離及び検出までを自動的に処理できるようにすることを目的とするものである。
【００１２】
【課題を解決するための手段】
本発明のマイクロチップ電気泳動装置は、互いに交差する分離流路と試料導入流路が形成されているマイクロチップを用いるものであり、電気泳動分離された試料を光学的に検出する検出器と、マイクロチップをトレイに載せて水平面内で移動させる移動機構と、マイクロチップの貫通孔から流路に泳動液を注入する泳動液注入機構と、試料導入流路の端に位置する貫通孔の試料注入孔から試料を注入する試料注入機構と、試料導入流路から分離流路に試料を導入するための試料導入用電圧及び試料の電気泳動分離のための分離用電圧を切り換えて印加する電源装置と、マイクロチップを泳動液注入機構による泳動液注入位置、試料注入機構による試料注入位置、及び検出器による検出位置にそれぞれ位置決めするように移動機構によるマイクロチップの移動の制御、泳動液注入機構及び試料注入機構の動作の制御、並びに電源装置による試料導入用電圧印加及び分離用電圧印加の制御を自動的に行なう制御部としてのＣＰＵボードとを備え、かつ、これらの全てが１つのケース内に一体収納されたものである。
【００１３】
検出器とマイクロチップをトレイに載せて移動させる移動機構とが一体化されているため、マイクロチップの流路の光軸あわせが安定化する。
マイクロチップをトレイに設置した後、流路への泳動液の充填、分離流路への試料の導入を自動で行なわせ、マイクロチップを検出位置に自動で移動させ、分析のための電圧印加を行なうことができる。
【００１４】
【実施例】
図３は一実施例の内部構造を示す概略斜視図であり、図４はそれらを一体として収納するケースの外観を示す斜視図である。
マイクロチップ１０は図１に示されたもので、ガラス製又は樹脂製であり、貫通孔３を介して流路に通じる電極パターンがマイクロチップ１０上に形成されており、その電極パターンが電圧端子にまとめられている。その電極パターンは、例えば蒸着法により形成されている。
【００１５】
マイクロチップ１０を固定し、水平面内で移動させる移動機構としてトレイ４０が設けられており、トレイ４０はＸ方向とＹ方向に移動してマイクロチップ１０を所定の位置に位置決めすることができる。
【００１６】
マイクロチップ１０の位置決めされる位置Ａはマイクロチップ１０のセッティング位置であり、マイクロチップ１０の電圧端子が装置のコネクタと接続される。位置Ｂは光学的な検出位置であり、同時に光軸あわせも行なわれる位置である。位置Ｃは泳動液注入機構と試料注入機構を兼ねるシリンジユニット４２から泳動液と試料が注入される位置である。マイクロチップ１０がＹ方向に移動された位置はリザーバの位置あわせ、シリンジ洗浄、廃液を行なう位置である。図示は省略されているが、トレイ４０をＸ方向に移動させる移動機構と、ガイド４４に沿ってＹ方向に移動させる駆動機構が設けられている。
【００１７】
検出器として分光光度検出器が用いられている。光源としてＤ2ランプ４６が用いられ、そのランプ４６からの光はミラーＭ1，Ｍ2によりグレーティングＧＲに導かれて分光され、グレーティングＧＲからミラーＭ3を経て、シリンドリカルレンズＬ1により、位置Ｂに位置決めされているマイクロチップ１０の分離流路にライン状に集光して照射される。マイクロチップ１０を透過した光は反対側に設けられたシリンドリカルレンズＬ2で集光されてシリコンフォトダイオードアレイ４８に入射して検出される。シリコンフォトダイオードアレイ４８は分離流路の所定の範囲を透過してきた光を同時に受光し、その泳動パターンを検出するものである。シリコンフォトダイオードアレイ４８の検出信号は信号処理ボード５０に送られて処理される。
【００１８】
シリンジユニット４２はマイクロチップ１０の貫通孔から泳動液を注入する泳動液注入機構と、マイクロチップ１０の試料導入流路の端に位置する貫通孔の試料注入孔から試料を注入する試料注入機構とを兼ねたものであり、位置Ｃに位置決めされたマイクロチップ１０に対し泳動液の充填と試料の注入を行なう。
【００１９】
マイクロチップ１０の試料導入流路に注入された試料を分離流路に導入するための試料導入用電圧及び試料の電気泳動分離のための分離用電圧を切り換えて印加する電源装置として、高圧電源５２と、マイクロチップ１０に印加する電圧のオン／オフ及び電流流路を切り換える高圧リレー５４が設けられている。
【００２０】
５６はマイクロチップ１０を泳動液注入位置、試料注入位置、及び検出位置にそれぞれ位置決めするように移動機構のトレイ４０によるマイクロチップ１０の移動の制御、シリンジユニット４２による泳動液注入動作及び試料注入動作の制御、並びに高圧電源５２及び高圧リレー５４による電圧印加の制御を行なう制御部としてのＣＰＵボードである。
【００２１】
これらの各部は図３のように一体的に組み合わされ、図４のようにケース５８内に収納されている。トレイ４０はケース５８の前面に開けられた窓から突出することができる。６０はシリンジユニット４２に対し、泳動液や試料を供給したり交換するための扉である。
【００２２】
次に、この実施例の動作を図５のフローチャートを参照して説明する。マイクロチップ１０をトレイ４０に設置し、装置の運転をスタートさせると、トレイ４０はまずマイクロチップ１０に泳動液を充填するために送液位置Ｃに移動する。泳動液の吐出口を有するロッドがトレイ４０の移動方向Ｘに直交するＹ方向に移動し、マイクロチップ１０の流路に泳動液を充填する。泳動液の送液は、装置に内蔵されているシリンジユニット４２により行なう。
【００２３】
次に、トレイ４０はいったん位置Ｃから外れた任意の位置（位置ＣとＢの間）へ移動し、マイクロチップ１０の流路の両端間に０.５ｋＶ程度の電圧が印加されて電流がモニタされ、安定して流れていれば泳動液が正常に充填されていると判断される。もし電流をチェックして電流値が測定されなかったり、不安定である場合は、泳動液が正常に充填されていないと判断されて、マイクロチップ１０が位置Ｃまで戻されて、再度泳動液の充填が行なわれた後、トレイ４０が再び位置Ｃから外れた任意の位置に移動させられて、流路の両端間に０.５ｋＶ程度の電圧が印加され、その電流から泳動液が正常に充填されているか否かが判断される。
【００２４】
泳動液が正常に充填されていると判断された後、マイクロチップ１０が再び位置Ｃまで戻され、試料をサンプルリザーバに注入するためのニードルがＹ方向に移動して試料の注入を行なう。この場合の試料の送液も装置に内蔵されているシリンジユニット４２により行なわれる。
【００２５】
試料注入後、トレイ４０は検出点Ｂをゆっくり横切る。このとき、検出器の信号がモニタされる。ビームが流路側面にあたる場合、散乱光が生じるため、バックグランドが上昇する。２つのピークの中間位置にチップの流路が来るようにトレイ４０の駆動機構にフィードバックがかけられて位置決めが行なわれる。
【００２６】
検出位置Ｂが決まった時点でサンプルリザーバＳとサンプル廃液リザーバＷの間に試料導入用電圧が印加され、次いでバッファーリザーバＢとドレインリザーバＤの間に電気泳動分離用電圧の印加に切り換えられて分析が開始される。
【００２７】
分析が始まると、検出器は分離用流路の泳動パターンを検出していき、その検出パターンは信号処理ボード５０でデータ処理される。１つの試料の分析が終了すると、電気泳動分離用電圧の印加が停止される。
分析を繰り返す場合は、マイクロチップ１０が検出点Ｂから位置Ｃへ移動され、流路に残った試料が泳動液で押し流された後、次ぎの試料が注入されて、上記の動作が繰り返される。
【００２８】
実施例のように、マイクロチップの分離流路がマイクロチップの移動方向と直交した方向になるように、マイクロチップを設置することにより、検出器の光軸がマイクロチップの分離流路を横切ったときの検出器の信号をマイクロチップを移動させる移動機構の駆動機構にフィードバックすることにより、目視によらず、またマイクロチップを移動させる移動機構の位置精度が十分でない場合でも、位置決め分解能を確保しておけば自動でマイクロチップを検出位置に位置決めすることができる。
マイクロチップを移動させる移動機構の位置精度が十分である場合には、検出器の信号によるマイクロチップの位置決めを省略することができる。
【００２９】
【発明の効果】
本発明ではマイクロチップ電気泳動分析に必要な各部分が一体化され、分析シーケンスが自動化されているので、トータルの分析時間が短縮され、分析精度が向上する。
また、実験室内や実験室間を自由に持ち運びすることも可能にできる。応用分野を固定した専用機にすれば検出波長を固定してしまうなど、装置全体の大きさを左右する検出器のサイズを小さくすることに結び付く。
【図面の簡単な説明】
【図１】  従来の装置でも本発明の装置でも用いるマイクロチップの一例を示す図であり、（Ａ）は貫通孔があけられた一方の基板を示す平面図、（Ｂ）は溝が形成された他方の基板示す平面図、（Ｃ）は正面図、（Ｄ）は斜視図である。
【図２】  従来のマイクロチップ電気泳動装置を示す概略斜視図である。
【図３】  一実施例の内部構造を示す概略斜視図である。
【図４】  同実施例の各部を一体として収納するケースの外観を示す斜視図である。
【図５】  同実施例の動作を示すフローチャート図出ある。
【符号の説明】
１０      マイクロチップ
４０      トレイ
４２      シリンジユニット
４６      Ｄ2ランプ
４８      シリコンフォトダイオードアレイ
５２      高圧電源
５４      高圧リレー
５６      ＣＰＵボード
５８      ケース
【図１】
0003736007.tif 000002
【図２】
0003736007.tif 000003
【図３】
0003736007.tif 000004
【図４】
0003736007.tif 000005
【図５】
0003736007.tif 000006